(57)【特許請求の範囲】
【請求項１】
第１のデジタルインタフェースケーブルを用いて映像表示装置(２)と接続すると共に、第２のデジタルインタフェースケーブルを用いて外部機器(３)と接続することが可能な信号再生装置であって、
記録媒体から信号を再生するための信号処理回路(７)と、第１のデジタルインタフェースケーブルを介して映像表示装置(２)と接続するための出力端子(11)と、第２のデジタルインタフェースケーブルを介して外部機器(３)と接続するための入力端子(12)と、信号処理回路(７)から得られる再生信号と入力端子(12)から入力される外部信号とを切り換えて出力端子(11)へ供給する信号切替回路(10)と、信号切替回路(10)の切り換え動作を制御する制御回路(８)と、前記第１及び第２のデジタルインタフェースケーブルを経て外部機器(３)が入力端子(12)へ向けて外部信号を送信し得ると共に映像表示装置(２)が出力端子(11)から出力される信号を受信し得る接続状態であることを検出する検出回路(13)と、各回路へ電力を供給する電源回路(９)とを具え、電源回路(９)から信号処理回路(７)への電力の供給を停止すべきスタンバイモードが設定されたとき、検出回路(13)によって前記接続状態が検出された場合には、信号切替回路(10)の電源をオンとする一方、検出回路(13)によって前記接続状態が検出されなかった場合には、信号切替回路(10)の電源をオフとすることを特徴とする信号再生装置。
【請求項２】
スタンバイモードにて検出回路(13)により前記接続状態が検出されたとき、制御回路(８)は、信号切替回路(10)に対して、入力端子(12)からの外部信号を出力端子(11)へ供給する切り換え状態を設定する請求項１に記載の信号再生装置。
【請求項３】
制御回路(８)は、記録媒体から信号を再生する信号再生モードが設定されたとき、信号切替回路(10)に対して、信号処理回路(７)からの再生信号を出力端子(11)へ供給する切り換え状態を設定する一方、外部機器(３)からの外部信号を受信する外部入力モードが設定されたとき、信号切替回路(10)に対して、入力端子(12)からの外部信号を出力端子(11)へ供給する切り換え状態を設定する請求項１又は請求項２に記載の信号再生装置。
【請求項４】
前記第１のデジタルインタフェースケーブルと第２のデジタルインタフェースケーブルは、同じ規格を有するケーブルである請求項１乃至請求項３の何れかに記載の信号再生装置。
【請求項５】
前記第１のデジタルインタフェースケーブルと第２のデジタルインタフェースケーブルはそれぞれ、ＨＤＭＩケーブルである請求項４に記載の信号再生装置。
【発明の詳細な説明】
【技術分野】
【０００１】
本発明は、光ディスク等の記録媒体から信号を再生することが可能な信号再生装置に関するものである。
【背景技術】
【０００２】
近年、光学式ディスクプレーヤ等の映像再生装置においては、ＤＶＩ(Digital  Visual  Interface)やＨＤＭＩ(High-Definition  Multimedia  Interface)等のデジタルインタフェースを装備したものが開発されている。ＨＤＭＩは、２００２年１２月に策定された主にＡＶ機器向けのデジタル映像・音声入出力インタフェース規格であって、パーソナルコンピュータとディスプレイの接続に使用されるデジタルインタフェースであるＤＶＩを更に発展させたものである。
【０００３】
ディスクプレーヤ等の映像再生装置とテレビジョン受像機等の映像表示装置にそれぞれＨＤＭＩを装備し、ＨＤＭＩケーブルを介して映像再生装置と映像表示装置とを接続すれば、映像再生装置によって再生されたハイビジョン映像信号を映像表示装置へ供給することにより、映像表示装置の画面に高画質の映像を表示することが出来る(例えば特許文献１参照)。
【０００４】
尚、ＨＤＭＩケーブルを経て送信側装置と受信側装置の間で送受信される信号には、デジタル映像／音声信号を伝送するためのＴＭＤＳ信号の他、送信側から受信側へ電源供給を行なうための５Ｖパワー信号、受信側装置の接続を検出するためのホットプラグ信号、リモートコントロール制御を行なうためのＣＥＣ信号等が含まれている。
【特許文献１】特開２００５−２５０３４２号公報［G09G5/00］
【発明の開示】
【発明が解決しようとする課題】
【０００５】
ところで、ＨＤＭＩ等のデジタルインタフェースを装備した映像表示装置に対し、ＨＤＭＩ等のデジタルインタフェースを装備した複数のＡＶ機器を接続して、種々の映像ソースを切り換えて表示するＡＶシステムを構築することが考えられる。
この場合、複数の入力端子と１つの出力端子を具えたＨＤＭＩセレクターによって入出力を切り換える方法があるが、ケーブルの接続が煩雑となる問題がある。
【０００６】
そこで、映像表示装置に接続されることとなる１台のＡＶ機器、例えばディスクプレーヤ等の映像再生装置にＨＤＭＩ信号切替回路を内蔵し、該映像再生装置を介して他のＡＶ機器(外部機器)を接続する形態が考えられる。
該接続形態においては、映像再生装置に１以上のＨＤＭＩ入力端子を設け、記録媒体から再生される映像及び音声信号(内部信号)と、該ＨＤＭＩ入力端子を経て外部機器から入力される映像及び音声信号(外部信号)とを、ＨＤＭＩ信号切替回路により切り換えて、映像再生装置により記録媒体の再生を行なう通常モードでは、内部信号を出力端子へ供給し、記録媒体の再生を行なわないスタンバイモードでは、外部信号を出力端子へ供給する。
【０００７】
しかしながら、上述の接続形態を採る場合、映像再生装置においては、スタンバイモードでＨＤＭＩ信号切替回路に電力を供給する必要があるため、スタンバイモードでは消費電力を出来るだけ抑える必要があるにも拘わらず、ＨＤＭＩ信号切替回路の消費電力によって装置全体の消費電力が大きくなってしまう問題がある。
【０００８】
そこで本発明の目的は、映像再生装置に映像表示装置と外部機器を接続するためのデジタルインタフェースを装備した構成において、映像再生装置のスタンバイモード時の消費電力を抑制することである。
【課題を解決するための手段】
【０００９】
本発明に係る映像再生装置は、記録媒体から信号を再生するための信号処理回路(７)と、第１のデジタルインタフェースケーブルを介して映像表示装置(２)と接続するための出力端子(11)と、第２のデジタルインタフェースケーブルを介して外部機器(３)と接続するための入力端子(12)と、信号処理回路(７)から得られる再生信号と入力端子(12)から入力される外部信号とを切り換えて出力端子(11)へ供給する信号切替回路(10)と、信号切替回路(10)の切り換え動作を制御する制御回路(８)と、前記第１及び第２のデジタルインタフェースケーブルを経て外部機器(３)が入力端子(12)へ向けて外部信号を送信し得ると共に映像表示装置(２)が出力端子(11)から出力される信号を受信し得る接続状態であることを検出する検出回路(13)と、各回路へ電力を供給する電源回路(９)とを具え、電源回路(９)から信号処理回路(７)への電力の供給を停止すべきスタンバイモードが設定されたとき、検出回路(13)によって前記接続状態が検出された場合には、信号切替回路(10)の電源をオンとする一方、検出回路(13)によって前記接続状態が検出されなかった場合には、信号切替回路(10)の電源をオフとする。
【００１０】
上記本発明の映像再生装置によれば、スタンバイモードが設定されたときには、外部機器(３)が入力端子(12)へ向けて外部信号を送信し得ると共に映像表示装置(２)が出力端子(11)から出力される再生信号を受信し得る接続状態であるか否かを検出して、該接続状態が検出されなかった場合、例えば映像表示装置(２)又外部機器(３)が接続されておらず、或いは、映像表示装置(２)又は外部機器(３)の電源がオフの場合は、信号切替回路(10)の電源をオフとするので、スタンバイモードにて常に信号切替回路の電源をオンとする構成に比べて、スタンバイモード時の消費電力を抑制することが出来る。
【００１１】
具体的構成において、スタンバイモードにて検出回路(13)により前記接続状態が検出されたとき、制御回路(８)は、信号切替回路(10)に対して、入力端子(12)からの外部信号を出力端子(11)へ供給する切り換え状態を設定する。
これによって、外部機器(３)から得られる外部信号が映像再生装置(１)の信号切替回路(10)を通過して映像表示装置(２)へ供給され、映像の表示と音声の出力が行なわれることになる。
【発明の効果】
【００１２】
本発明に係る映像再生装置によれば、映像表示装置と外部機器を接続するためのデジタルインタフェースを装備した構成においてスタンバイモード時の消費電力を抑制することが出来る。
【発明を実施するための最良の形態】
【００１３】
以下、本発明の実施の形態につき、図面に沿って具体的に説明する。
本発明に係る映像再生装置(１)は、図１に示す如く、ＨＤＭＩ用の出力端子(11)と入力端子(12)を具え、出力端子(11)には、ＨＤＭＩケーブル(４)を介して映像表示装置(２)を接続することが可能であると共に、入力端子(12)には、ＨＤＭＩケーブル(５)を介して外部機器(３)を接続することが可能である。
【００１４】
映像表示装置(２)は例えばテレビジョン受像機であって、ＨＤＭＩケーブル(４)を接続するためのＨＤＭＩ用の入力端子(21)を具えており、該入力端子(21)からの入力信号を受けて、映像を表示すると共に音声を出力するものである。
一方、外部機器(３)は例えばデジタル放送受信用のチューナであって、ＨＤＭＩケーブル(５)を接続するためのＨＤＭＩ用の出力端子(31)を具えており、該出力端子(31)から映像・音声信号(以下、外部信号という)を出力するものである。
【００１５】
映像再生装置(１)には、圧縮符号化された映像・音声信号が記録されている光ディスクから信号を読み出すための再生ドライブ機構(６)が装備され、再生ドライブ機構(６)によって読み出された映像・音声信号は、信号処理回路(７)へ供給されて、デコード処理が施された後、映像信号と音声信号に分離され、ＨＤＭＩフォーマットに基づいてＴＭＤＳ信号にエンコードされた映像・音声信号(以下、再生信号という)が、信号切替回路(10)へ供給される。
【００１６】
又、映像再生装置(１)には、信号処理回路(７)から得られる再生信号と入力端子(12)から入力される外部信号とを切り換えて出力端子(11)へ供給する信号切替回路(10)が装備され、該信号切替回路(10)の切り換え動作がマイクロコンピュータからなる制御回路(８)によって制御されている。
又、映像再生装置(１)には、映像表示装置(２)と外部機器(３)の接続状態を検出するための検出回路(13)が装備されており、映像表示装置(２)が接続された状態で出力端子(11)から得られるホットプラグ信号と、外部機器(３)が接続された状態で入力端子(12)から得られる５Ｖパワー信号とが、検出回路(13)へ供給される。そして、検出回路(13)の検出信号は制御回路(８)へ供給される。
【００１７】
更に映像再生装置(１)には、再生ドライブ機構(６)、信号処理回路(７)、信号切替回路(10)、制御回路(８)及び検出回路(13)にそれぞれ電力を供給する電源回路(９)が装備されており、ディスクを再生する通常再生モードと、ディスクの再生を停止したスタンバイモードとに応じて、電源回路(９)から各回路への電力の供給状態が切り換えられる。
【００１８】
図２は、映像再生装置(１)の主電源をオフとしてスタンバイモードを設定したときの制御回路(８)の処理(パワーオフ処理)を表わしている。
先ずステップＳ１では、電源キーが押されたか否かが判断され、ここでイエスと判断されたときは、ステップＳ２にて、５Ｖパワー信号が検出されたか否かが判断される。
【００１９】
外部機器(３)が接続されており、ステップＳ２にてイエスと判断されたときは、ステップＳ３に移行して、更に、ホットプラグ信号が検出されたか否かが判断される。
外部機器(３)が接続されておらず、ステップＳ２にてノーと判断されたときや、映像表示装置(２)が接続されておらず、ステップＳ３にてノーと判断されたときは、ステップＳ４に移行して、検出回路(13)及び制御回路(８)以外の回路電源をオフとした後、ステップＳ２に戻って、５Ｖパワー信号とホットプラグ信号の検出を繰り返す。
【００２０】
一方、外部機器(３)及び映像表示装置(２)が接続されており、ステップＳ３にてイエスと判断されたときは、ステップＳ５に移行し、信号切替回路(10)を切り換えて入力端子(12)からの映像・音声信号(外部信号)を出力端子(11)に出力し、更にステップＳ６にて、信号切替回路(10)、検出回路(13)及び制御回路(８)以外の回路電源をオフとした後、ステップＳ２に戻って、５Ｖパワー信号とホットプラグ信号の検出を繰り返す。
【００２１】
図３は、映像再生装置(１)の主電源をオンとしたときの制御回路(８)の処理(パワーオン時の処理)を表わしている。
先ずステップＳ１１では、ディスク再生モードの設定が指示されているか、外部入力モードの設定が指示されているかを判断し、外部入力モードの設定が指示されているときは、ステップＳ１２にて、５Ｖパワー信号が検出されたか否かが判断される。
【００２２】
外部機器(３)が接続されており、ステップＳ１２にてイエスと判断されたときは、ステップＳ１３に移行して、更に、ホットプラグ信号が検出されたか否かが判断される。
ディスク再生モードの設定が指示されているとき、外部機器(３)が接続されておらず、ステップＳ１２にてノーと判断されたとき、或いは、映像表示装置(２)が接続されておらず、ステップＳ１３にてノーと判断されたときは、ステップＳ１５に移行し、信号切替回路(10)を切り換えて、再生ドライブ機構(６)からの映像・音声信号(内部信号)を出力端子(11)に出力する。
【００２３】
一方、外部機器(３)及び映像表示装置(２)が接続されており、ステップＳ１３にてイエスと判断されたときは、ステップＳ１４に移行し、信号切替回路(10)を切り換えて入力端子(12)からの映像・音声信号(外部信号)を出力端子(11)に出力した後、ステップＳ１２に戻って、５Ｖパワー信号とホットプラグ信号の検出を繰り返す。
【００２４】
上記映像再生装置(１)によれば、スタンバイモードが設定されたとき、外部機器(３)と映像表示装置(２)がそれぞれ接続されて電源オンの状態である場合には、信号切替回路(10)の電源がオンとなって、外部機器(３)から映像再生装置(１)を通じて映像表示装置(２)に外部信号が供給する動作が行なわれるが、映像表示装置(２)又外部機器(３)が接続されておらず、或いは、映像表示装置(２)又は外部機器(３)の電源がオフの場合は、信号切替回路(10)の電源がオフとなって、信号切替回路(10)による無駄な電力消費が回避され、スタンバイモードにおける消費電力が最小限に抑えられることになる。
【図面の簡単な説明】
【００２５】
【図１】本発明に係る映像再生装置に映像表示装置と外部機器を接続した状態の構成を示すブロック図である。
【図２】パワーオフ処理を表わすフローチャートである。
【図３】パワーオン時の処理を表わすフローチャートである。
【符号の説明】
【００２６】
(１)  映像再生装置
(２)  映像表示装置
(３)  外部機器
(４)  ＨＤＭＩケーブル
(５)  ＨＤＭＩケーブル
(６)  再生ドライブ機構
(７)  信号処理回路
(８)  制御回路
(９)  電源回路
(10)  信号切替回路
【図１】
0004730544.tif 000002
【図２】
0004730544.tif 000003
【図３】
0004730544.tif 000004